(57)【要約】【課題】摩擦による損失が少なくポンプ効率の向上を達成することができる片持ち式ポンプ機構を提供すること。【解決手段】ハウジング１と、前記ハウジングに対して片持ち支持され該ハウジング内を挿通する回転軸（ポンプ取付け軸）３と、前記回転軸の周面に少なくとも該回転軸の回転方向に関して支持され該回転軸の周面と前記ハウジングの壁面との間に収容されるポンプ４と、前記回転軸の周面と前記ポンプの周面との間に形成された隙間に収容され該ポンプを該回転軸の半径方向に関して該回転軸に弾性的に支持させる弾性体７とを有する。【選択図】図１
2004239216.tif 000002
【特許請求の範囲】
【請求項１】
ハウジングと、
前記ハウジングに対して片持ち支持され該ハウジング内を挿通する回転軸と、前記回転軸に少なくとも該回転軸の回転方向に関して支持され該回転軸の周面と前記ハウジングの壁面との間に収容されるポンプと、
前記回転軸と前記ポンプの間に形成された隙間に収容され該ポンプを該回転軸の半径方向に関して該回転軸に弾性的に支持させる弾性体と、を有する、ことを特徴とする片持ち式ポンプ機構。
【請求項２】
前記隙間の前記回転軸の半径方向に沿った長さが、前記回転軸の半径方向の変形可能量に対応して形成されていることを特徴とする請求項１記載の片持ち式ポンプ機構。
【請求項３】
前記弾性体がシール材であることを特徴とする請求項１又は２記載の片持ち式ポンプ機構。
【請求項４】
前記ポンプがネジ式ポンプであることを特徴とする請求項１〜３のいずれか一記載の片持ち式ポンプ機構。
【発明の詳細な説明】
【０００１】
【発明の属する技術分野】
本発明は、片持ち式ポンプ機構に関し、特に、車両の変速機用の片持ち式のネジ式ポンプ機構に関する。
【０００２】
【従来の技術】
特許文献１には、車両のトランスファ用のネジ式ポンプ機構に関し、回転するシャフトにねじポンプを設けた構成が開示されている。
【０００３】
図２は、第１及び第２の従来例に係る車両の変速機用の（単軸）片持ち式ネジポンプ機構を説明するための図である。
【０００４】
図２を参照すると、第１の従来例に係る片持ち式ネジポンプ機構は、ハウジング２１と、ハウジング２１に軸受２２を介して片持ち支持されハウジング２１内を挿通するポンプ取付け軸（回転軸）２３と、ポンプ取付け軸２３の外周面に固定されポンプ取付け軸２３の外周面とハウジング２１の内壁面との間に収容され、ハウジング２１に形成された吸入口２５から吸入したオイルを圧縮してハウジング２１内の吐出口２６から吐出するネジ式ポンプ２４とを有する。
【０００５】
第２の従来例に係る片持ち式ネジポンプ機構は、さらに、ネジ式ポンプ２４の外周面とハウジング２１の内壁との間に形成された隙間に収容され弾性体軸方向固定手段２８と弾性体回転方向固定手段２９とによりハウジング２１の内壁に固定された弾性体２７を有する。
【０００６】
第１の従来例に係る片持ち式ネジポンプは、ポンプ取付け軸２３の変形量（撓み量）をネジ式ポンプ２４の外周面とハウジング２１内壁との間に隙間を設けることにより、ネジ式ポンプ２４の外周面とハウジング２１内壁との回転接触の回避を図っている。
【０００７】
第２の従来例に係る片持ち式ネジポンプは、図２に示すように、さらに、この隙間に弾性体２７を圧入することにより、ネジ式ポンプ２４の外周面とハウジング２１内壁の回転接触の回避を図っている。
【０００８】
【特許文献１】
特開２００２−３７２１３３号公報（図１、段落００８５）
【０００９】
【発明が解決しようとする課題】
前記第１の従来例に係る片持ち式ネジポンプの構造では、ポンプ取付け軸の長さ、軸径、軸剛性により導かれる変形量（撓み量）以上にポンプ外周とハウジング内部との隙間を確保する必要があるが、下記ポンプ容積効率を示す式１の通りポンプ外周とハウジング内部との隙間が拡大するとポンプ容積効率が隙間の３乗に比例し低下してしまう問題がある。
【００１０】
式１：
容積効率ηＶ＝１−Ｑｌ／Ｑｔ
Ｑｔ＝理論吐出し量：（ポンプの幾何学的形状、回転数により定まり、漏れ損失のない場合の吐出し量）
Ｑｌ＝漏れ量
【００１１】
漏れ量Ｑｌ（円筒形）算出式
Ｑｌ＝π×ｄ×（Ｐ１−Ｐ２）×ｈ３／１２×μ×Ｌ
ｄ：隙間円筒の直径
Ｐ１：吐出し圧力
Ｐ２：吸入圧力
ｈ：隙間の厚さ
Ｌ：隙間の長さ
μ：油の粘性係数
【００１２】
この問題を解消する従来技術として前記第２の従来例のように、ポンプを弾性体（ゴム等）の円筒内に挿入しポンプ取付け軸の変形（撓み）とポンプ外径の隙間を詰める構造がある。
【００１３】
しかしながら、前記第２の従来例の構造では、（１）弾性体の軸方向及び回転方向を固定する必要がある（コストアップ）。（２）弾性体とポンプとの間には常に弾性力による摩擦損失が発生する（回転効率が悪く、摺動抵抗あり）。（３）ポンプ回転による弾性体の摩耗、変形が発生する。（耐久性が悪い、高回転時に不利）等の問題点がある。
【００１４】
本発明の目的は、摩擦による損失が少なくポンプ効率の向上を達成することができる片持ち式ポンプ機構を提供することである。
【００１５】
【課題を解決するための手段】
本発明は、第１の視点において、ハウジングと、前記ハウジングに対して片持ち支持され該ハウジング内を挿通する回転軸と、前記回転軸に少なくとも該回転軸の回転方向に関して支持され該回転軸の周面と前記ハウジングの壁面との間に収容されるポンプと、前記回転軸と前記ポンプとの間に形成された隙間に収容され該ポンプを該回転軸の半径方向に関して該回転軸に弾性的に支持させる弾性体と、を有する、ことを特徴とする片持ち式ポンプ機構を提供する。
【００１６】
本発明によれば、ポンプと回転軸（ポンプ取付け軸）との間に弾性体を組み込むことにより、ポンプと回転軸（ポンプ取付け軸）との間に軸変形量分を考慮した隙間が形成されて、ポンプ取付け軸の変形（撓み）が回転軸（ポンプ取付け軸）とポンプの間で吸収されるため、ポンプとハウジングの間には回転接触を防止する隙間を設けなくとも十分であり、弾性体を組み込んだにもかかわらず、高いポンプ効率を得ることが可能となる。
【００１７】
又、本発明によれば、弾性体の反発力によって、回転軸変形時のみポンプとハウジングが接触するため、図２に示した前記第２の従来例のように常に摩擦抵抗が発生せず摺動抵抗による損失が小さい。したがって、本発明による片持ち式ポンプ機構は、摩耗が発生し難く耐久性にも優れた構造である。
【００１８】
【発明の実施の形態】
本発明の好ましい実施の形態においては、図１を参照して、ハウジング１と、前記ハウジングに対して片持ち支持され該ハウジング内を挿通する回転軸（ポンプ取付け軸）３と、前記回転軸（好ましくは回転軸の周面上）に少なくとも該回転軸の回転方向に関して支持され該回転軸の周面と前記ハウジングの壁面との間に収容されるポンプ４と、前記回転軸（好ましくは回転軸の周面）と前記ポンプ（好ましくはポンプの周面）との間に形成された隙間に収容され該ポンプを該回転軸の半径方向に関して該回転軸に弾性的に支持させる弾性体７とを有することを特徴とする。
【００１９】
本発明の好ましい実施の形態においては、前記隙間の前記回転軸の半径方向に沿った長さが、前記回転軸の半径方向の変形可能量に対応して形成されている。
【００２０】
本発明の好ましい実施の形態においては、前記弾性体がＯリング等のシール材であることを特徴とする。
【００２１】
本発明の好ましい実施の形態においては、前記ポンプがネジ式ポンプであることを特徴とする。
【００２２】
本発明の好ましい実施の形態においては、前記弾性体が、ポンプ上、好ましくは、ポンプに形成された凹部に配置される。
【００２３】
本発明の片持ち式ポンプ機構は、車両の変速機用として好適に適用され、変速機の回転軸の端部に取付けられ、変速機等に潤滑油を圧送する。
【００２４】
【実施例】
図１は、本発明の一実施例に係る片持ち式ポンプ機構の説明図である。
【００２５】
図１を参照すると、本発明の一実施例に係る片持ち式ポンプ機構は、ハウジング１と、ハウジング１に軸受２を介して片持ち支持されハウジング１内を挿通する回転軸（以下「ポンプ取付け軸」という）３と、ポンプ取付け軸３の外周面にポンプ取付け軸３の回転方向及び軸方向に関して支持されポンプ取付け軸３の外周面とハウジング１の内壁面との間に収容され、ハウジング１に形成された吸入口５から吸入したオイルを圧縮してハウジング１内の吐出口６から吐出するネジ式ポンプ４と、ポンプ取付け軸３の外周面とネジ式ポンプ４の周面との間に形成された隙間に収容されネジ式ポンプ４をポンプ取付け軸３の半径方向に関してポンプ取付け軸３に弾性的に支持させる弾性体（以下「シール材」という）７を有する。
【００２６】
シール材７は、ネジ式ポンプ４の内周側に形成された隙間（凹部）に組み込まれ、この隙間のポンプ取付け軸３の半径方向に沿った長さが、ポンプ取付け軸３の半径方向の変形可能量に対応して形成されている。
【００２７】
本発明の一実施例に係る片持ち式ポンプ機構によれば、ネジ式ポンプ４内周側とポンプ取付け軸３外周側との間にシール材（弾性体）７を組み込むことにより、ネジ式ポンプ４内周側とポンプ取付け軸３外周側との間に軸変形量分に対応した隙間が形成されて、ポンプ取付け軸３の変形（撓み）がネジ式ポンプ４内径部にて吸収されるため、ネジ式ポンプ４外周側には回転接触を防止する隙間を設けなくとも十分であり、シール材７を組み込んだにもかかわらず、高いポンプ効率を得ることが可能となる。
【００２８】
又、本発明の一実施例に係る片持ち式ポンプ機構によれば、弾性体であるシール材７の反発力によって、ポンプ取付け軸３の変形時のみネジ式ポンプ４とハウジング１が接触するため、常時は摩擦抵抗が発生しない。したがって、本発明の一実施例に係る片持ち式ポンプ機構は、摺動抵抗による損失が小さく、摩耗が発生し難く耐久性にも優れた構造である。
【００２９】
又、本発明の一実施例に係る片持ち式ポンプ機構によれば、図１に示したように、寸法要素が減少するため、ハウジング１内壁とポンプ取付け軸３外周面との間の隙間（前記式１のｈ）を詰めることができるため、ポンプ効率を向上させることができる。
【００３０】
【発明の効果】
本発明によれば、摩擦による損失が少なくポンプ効率の向上を達成することができる片持ち式ポンプ機構が提供される。
【図面の簡単な説明】
【図１】本発明の一実施例に係る片持ち式ポンプ機構の説明図である。
【図２】従来例に係る片持ち式単軸ネジポンプ機構の説明図である。
【符号の説明】
１  ハウジング
２  軸受
３  回転軸（ポンプ取付け軸）
４  ネジ式ポンプ
５  吸入口
６  吐出口
７  弾性体（シール材）
【図１】
2004239216.tif 000003
【図２】
2004239216.tif 000004